(57)【特許請求の範囲】
【請求項１】
モバイル機器に適用される無線入力装置であって、
無線方式により前記モバイル機器と接続可能であり、上面に複数のキーが設けられ、左右に互いに平行するスライド部が設けられる無線キーボードと、
上面に前記モバイル機器に対応する収容溝が設けられ、前記モバイル機器を前記収容溝に取り付けて固定し、底面に固定口を有する凹み溝が凹状に形成された支持台と、
前記スライド部に対応する位置に前記スライド部が摺動して嵌合するスライドレールが設けられ、前記無線キーボードに固定され、前記支持台の底面に嵌合する折り畳み平板と、
を備え、
前記スライド部が前記スライドレールを摺動することにより、
前記折り畳み平板は、前記支持台とともに前記無線キーボードを覆う状態と、前記無線キーボードの前記複数のキーを前記支持台の外部に露出させる状態と、を切替可能であり、
前記折り畳み平板は、周縁部に、前記支持台の前記固定口の位置に対応する少なくとも一つの突き出し部が設けられ、
前記折り畳み平板は、前記凹み溝に収容され、前記突き出し部が前記凹み溝の前記固定口に嵌合し、
前記凹み溝は、内壁に前記固定口と隣接し前記突き出し部が互いに嵌合可能な嵌着部が設けられ、
前記折り畳み平板は、少なくとも一つの弾性部材が設けられ、前記弾性部材は、一端が前記折り畳み平板と互いに接続し、他端が前記無線キーボード上の前記複数のキーから離れる側に固定されており、
前記弾性部材の一端は、前記折り畳み平板に折り畳み作用力を加えることにより、前記支持台が前記無線キーボードを完全に覆う状態に維持し、或いは、前記支持台を移動させ、前記複数のキーが支持台の外部に露出した状態において、前記折り畳み平板に展開作用力を加えることにより、前記支持台を前記キーが前記支持台の外部に露出される状態に維持することを特徴とする無線入力装置。
【請求項２】
前記スライドレールは、一端に前記スライド部の形状に対応する引き止め部が設けられ、
前記無線キーボードの前記複数のキーが前記支持台の外部に露出したとき、前記引き止め部は、前記スライド部の一端に当接することを特徴とする請求項１記載の無線入力装置。
【発明の詳細な説明】
【技術分野】
【０００１】
本発明は、無線入力装置に関し、詳しくは、モバイル機器と一体に結合可能な無線入力装置に関する。
【背景技術】
【０００２】
近年、マイコン技術の進歩と電子産業の盛んな発展により、たとえば、携帯型情報端末（Ｐｅｒｓｏｎａｌ  Ｄｉｇｉｔａｌ  Ａｓｓｉｓｔａｎｔ，  ＰＤＡ）、スマートフォン（Ｓｍａｒｔ  Ｐｈｏｎｅ）、タブレット形パソコン（Ｔａｂｌｅｔ  ＰＣ）など、様々なモバイル機器は、次から次へと開発し販売されている。この種のモバイル機器は、通常、コンパクトであり、外観が精緻にできており、使用者の携行が便利のため、現時点のもっとも流行の商品の一つである。一般に、モバイル機器が占めるスペースを軽減するため、モバイル機器を使用者の手のひらの大きさ、またはノートブックサイズの平板状に設計する。これにより、使用者が各種の場面において、いつでも取り出して使用することができ、便利および実用の目的を達成することができる。
なお、無線入力装置は例えば、特許文献１に開示されている。
【先行技術文献】
【特許文献】
【０００３】
【特許文献１】特開２００９−０２０７１８号公報
【発明の概要】
【発明が解決しようとする課題】
【０００４】
しかし、近年はタッチ制御技術が進歩したおかげで、この種のモバイル機器を設計するとき、タッチスクリーンを大量に使用しており、従来のキーボードが省略されたほか、モバイル機器がよりコンパクトになっている。図１に示す従来の一般的なモバイル機器１を参照する。モバイル機器１上にタッチスクリーン１０が設けられ、使用者の指またはタッチ部材（たとえば、タッチペン）をタッチスクリーン１０にタッチすることにより、モバイル機器１に様々な指令（たとえば、プログラム実行、音量調整など）を入力する。一方、使用者が文字をモバイル機器１に入力したいとき、モバイル機器１は、まずタッチスクリーン１０上にアイコンキーボード１０１を表示させる。アイコンキーボード１０１は、複数のアイコンキー１０１ａからなる。使用者がこれらのアイコンキー１０１ａをタッチすることにより、タッチスクリーン１０は、タッチに対応した指令をモバイル機器１に伝送することができる。
【０００５】
この種のタッチ制御式の操作方法は、モバイル機器１を使用するとき、より直感的でより人間的であり、従来のような使用者がキーボード入力するときの騒音が軽減され、かつモバイル機器１の重量を大幅に軽減し、利便性が向上している。しかし、この種のタッチ操作方式は、全く欠点がないわけではなく、実際の使用面において、依然として以下のような不便がある。
【０００６】
（イ）指令を精確に入力することができない。モバイル機器１の形状のほとんどが、使用者のポケット、手のひらの大きさに合わせており、使用者が随時携行することができる。しかし、モバイル機器１のタッチスクリーン１０の面積が限られており、それらのアイコンキー１０１ａの形状が制限される。そのため、使用者の指に対応しにくく、使用者が文字を入力するとき、複数のアイコンキー１０１ａをタッチしてしまい、入力ミスが発生し、入力精度が悪い。このほか、アイコンキーボード１０１は、従来のキーボードのようにタッチするときに陥没する手応えがない。そのため、使用者は、モバイル機器１がタッチ操作を検出していないという錯覚を引き起し、重複入力の問題がある。
【０００７】
（ロ）表示スペースが圧縮される。ネットワークの高速発展に従い、モバイル機器１をインターネットに接続し、様々なホームページをブラウジングすることは、もはや一般的である。一方、使用者がモバイル機器１を介して、ホームページをブラウジングするときは、文字を入力する必要がある（たとえば、ホームページにメッセージを残す、またはキーワードを入力し特定ウェブサイトを検索するなど）。しかし、使用者がホームページをブラウジングするとき、アイコンキーボード１０１は、大面積により、タッチスクリーン１０の表示スペースを占拠してしまうため、使用者の閲覧に不便である。
【０００８】
引き続き、図１に示すように、モバイル機器１上に、接続台１１を追加することにより、使用者が補助キーボード１２を接続台１１に差し込んで、文字を入力する。しかし、この種の補助キーボード１２は、使用者による文字入力ができるが、モバイル機器１の携行利便性が損なわれている。かつ使用者が補助キーボード１２を使用するとき、適当な平面（たとえば、机の天板）に置かなければ、補助キーボード１２を置き、指令入力することができないため、モバイル機器１の移動性が失われるおそれがある。
【０００９】
よって、精確かつ便利に指令をモバイル機器に入力可能な入力装置を提供することは、本発明が解決する重要な課題である。
【課題を解決するための手段】
【００１０】
上記課題を解決するため、本発明による無線入力装置は、無線キーボード、支持台、および折り畳み平板を備える。無線キーボードは、無線方式（たとえば、ブルートゥース伝送）によって、モバイル機器と接続する。無線キーボードは、上面に複数のキーが設けられ、左右に互いに平行するスライド部が設けられる。支持台は、上面にモバイル機器に対応する収容溝が設けられ、モバイル機器を収容溝に取り付けて固定する。折り畳み平板は、スライド部に対応する位置にスライド部が摺動して嵌合するスライドレールが設けられ、無線キーボードに固定され、支持台の底面に嵌合する。支持台および折り畳み平板は、スライド部がスライドレールに沿って摺動することにより、無線キーボードを完全に覆うか、またはキーを支持台の外部に露出させる。
【００１１】
このように、モバイル機器を収容溝に取り付けて固定して支持台と一体に結合した後、使用者は、いつでも折り畳み平板を支持台の底面に嵌合させ、支持台を移動させ、無線キーボードに備えられるすべてのキーを支持台の外部に露出させ、キーを介して指令を入力することができる。さらに、無線キーボードが無線伝送方式により、指令をモバイル機器に伝送することができる。使用者の指令入力が完了した後、支持台を無線キーボード側に移動させることで、支持台が無線キーボードを完全に覆うことができる。このほか、折り畳み平板および無線キーボードを支持台から取り外し、分離して携行（たとえば、モバイル機器をポケットに入れ、無線キーボードおよび折り畳み平板をリュックサックに収容する）し、余分な使用空間を占めることを避けることができる。
【００１２】
折り畳み平板上はさらに弾性部材が設けられる。弾性部材は、一端が折り畳み平板と接続し、他端が無線キーボード上のキーから離れる側に固定される。支持台が無線キーボードを完全に覆う状態において、弾性部材の一端は、折り畳み平板に折り畳み作用力を加え、支持台が無線キーボードを完全に覆う状態に維持する。支持台を移動させ、無線キーボードに備えられるすべてのキーを支持台の外部に露出させる状態において、弾性部材の一端は、折り畳み平板に展開作用力を加え、支持台を無線キーボードに備えられるすべてのキーが支持台の外部に露出した状態に維持する。
【００１３】
そのうち、スライド部がスライドレールに沿って摺動する過程において、弾性部材の一端と他端とが同じ水平線に位置するとき、弾性部材は臨界状態にある。弾性部材の一端が水平線を超えているか否かによって、折り畳み平板に折り畳み作用力または展開作用力を加え、支持台が無線キーボードを完全に覆うようにするか、または無線キーボードに備えられるすべてのキーが支持台の外部に露出するようにする。
【００１４】
折り畳み平板はさらに、周縁部に少なくとも一つの突出し部が設けられる。かつ支持台は、収容溝の底部に折り畳み平板を収容する凹み溝が凹状に形成される。凹み溝は、突出し部に対応する位置に固定口が設けられる。折り畳み平板を凹み溝に収容したとき、突出し部が固定口に嵌合して凹み溝の内壁面と互いに嵌合する。これにより、折り畳み平板を支持台の底面に収容することができる。そのほか、使用者は折り畳み平板を移動させ、各突出し部を対応する各固定口から移動させることによって、凹み溝の内壁面との嵌着を切り離し、折り畳み平板を支持台の底面から快速に取り出すことができる。
【図面の簡単な説明】
【００１５】
【図１】従来のモバイル機器と補助キーボードとの斜視図である。
【図２】本発明の一実施例による無線入力装置の斜視図（その１）である。
【図３】本発明の一実施例による無線入力装置の使用態様図（その１）である。
【図４】本発明の一実施例による無線入力装置の使用態様図（その２）である。
【図５】本発明の一実施例による無線入力装置の模式図である。
【図６】本発明の一実施例による無線入力装置の斜視図（その２）である。
【発明を実施するための形態】
【００１６】
以下、本発明の一実施例による無線入力装置を図面に基づいて説明する。
（一実施例）
図２と図３に示すように、無線入力装置２は、無線キーボード２１、支持台２２、および折り畳み平板２３を備える。無線キーボード２１は、無線方式（たとえば、ブルートゥース伝送）によりモバイル機器３と接続することができる。無線キーボード２１は、上面に複数のキー２１０が設けられ、かつ左右に互いに平行するスライド部２１１が設けられる。支持台２２は、上面にモバイル機器３と対応する収容溝２００が設けられ、モバイル機器３を収容溝２００に取り付けて固定する。これにより、支持台２２とモバイル機器３とが一体に結合し、モバイル機器３の表面を傷つけることを防止することができる。
【００１７】
折り畳み平板２３は、スライド部２１１に対応する位置にスライド部２１１が摺動して嵌合するスライドレール２３１が設けられ、無線キーボード２１上に固定されることができる。折り畳み平板２３はさらに、支持台２２の底面に嵌合する。支持台２２および折り畳み平板２３は、スライド部２１１がスライドレール２３１に沿って摺動することにより、無線キーボード２１を覆うか、またはキー２１０を支持台２２の外部に露出させることができる。
【００１８】
引き続き、図２と図３に示すように、折り畳み平板２３を支持台２２の底面に嵌合させたとき、支持台２２および折り畳み平板２３は、スライド部２１１がスライドレール２３１に沿って摺動することにより、無線キーボード２１を完全に覆うか、または無線キーボード２１に備えられるすべてのキー２１０を支持台２２の外部に露出させて使用者のタッチに備える。これにより、モバイル機器３を収容溝２００に固定して無線入力装置２と一体に結合した後、使用者は、支持台２２を移動させることにより、無線キーボード２１に備えられるキー２１０を支持台２２の外部に露出させることができる。さらに、使用者がキー２１０をタッチしたとき、無線キーボード２１は、無線伝送方式により、各キー２１０に対応する指令をモバイル機器３に伝送し、相応の動作（たとえば、文字入力、プログラム実行など）を実行することができる。
【００１９】
使用者の指令入力が完了した後、無線キーボード２１を使用しないとき、図４に示すように、支持台２２を無線キーボード２１側に移動させることにより、支持台２２が完全に無線キーボード２１を覆う。これにより、無線伝送装置２をモバイル機器３に対応する大きさに折り畳むことができる。さらに、占めるスペースを軽減するため、さらに無線キーボード２１および折り畳み平板２３を支持台２２から取り外し、支持台２２を保護カバーとして使用者の携行に備えることができる。使用者が無線キーボード２１を使用するとき、無線キーボード２１および折り畳み平板２３を取り出して支持台２２の底面に嵌合させることにより、簡単に指令入力することができる。
【００２０】
図２と図５に示すように、本実施例において、折り畳み平板２３はさらに、弾性部材２４が設けられる。弾性部材２４の一端Ａは、折り畳み平板２３の底面に接続し、他端Ｂは、無線キーボード２１上のキー２１０から離れる側に固定される。支持台２２が無線キーボード２１を完全に覆う状態において、弾性部材２４の一端Ａは、折り畳み平板２３に折り畳み作用力を加えることにより、支持台２２が無線キーボード２１を完全に覆う状態（以下、折り畳み状態をいう。）に維持する。支持台２２を移動させ、無線キーボード２１に備えられるすべてのキー２１０が支持台２２の外部に露出した状態において、弾性部材２４の一端Ａは、折り畳み平板２３に展開作用力を加えることにより、支持台２２をキー２１０が支持台２２の外部に露出する状態（以下、開放状態をいう。）に維持する。
【００２１】
ここに、無線入力装置２が開放状態から折り畳み状態に切り換えるときの変化を例として、弾性部材２４の作動フローについて詳細に説明する。弾性部材２４の作動原理を詳しく説明するため、図５において、一部の部材がすでに省略されている。
【００２２】
（イ）開放状態は図５を参照する。弾性部材２４の他端Ｂは、無線キーボード２１の上面に固定され、かつ水平線Ｌの位置に対応する。このとき、弾性部材２４の一端Ａが折り畳み平板２３に加える展開作用力Ｆ１により、支持台２２および折り畳み平板２３を水平線Ｌから離れる方向に移動させる。これにより、無線キーボード２１に備えられるすべてのキー２１０を支持台２２の外部から露出させることができる（図３に示す）。
【００２３】
（ロ）臨界状態において、支持台２２を無線キーボード２１側に移動させることにより、弾性部材２４の一端Ａを弾性部材２４の他端Ｂに近づけさせる。弾性部材２４の一端Ａが弾性部材２４の他端Ｂに移動し、同じ水平線Ｌの位置（図５の中間図に示す）にあるとき、弾性部材２４は臨界状態にある。弾性部材２４の一端Ａは、臨界作用力Ｆ２を折り畳み平板２３に加える。臨界作用力Ｆ２の作用方向は水平である。スライドレール２３１は、スライド部２１１と互いに嵌合しており、臨界作用力Ｆ２は折り畳み平板２３を水平方向に移動させることができないため、弾性部材２４を臨界状態に維持することができる。このとき、弾性部材４の一端Ａが移動し、かつ水平線Ｌを超えると、臨界作用力Ｆ２の動作方向は、キー２１０向き方向（図５の下方の図を参照）に変更する。これにより、臨界作用力Ｆ２を折り畳み作用力Ｆ３に置き換える。
【００２４】
（ハ）折り畳み状態において、弾性部材２４の一端Ａが折り畳み平板２３に対して折り畳み作用力Ｆ３を加えるとき、折り畳み平板２３および支持台２２は、キー２１０側に摺動し、かつ無線キーボード２１を完全に覆う。これにより、無線入力装置２が折り畳み状態（図４に示す）に維持される。
【００２５】
弾性部材２４によって、無線入力装置２は、開放状態と折り畳み状態とで切り換えられることができる。かつ弾性部材２４は、一端Ａが水平線Ｌを超えているか否かによって、折り畳み平板２３に折り畳み作用力Ｆ３または展開作用力Ｆ１を加え、支持台２２が無線キーボード２１を完全に覆うようにするか、または無線キーボード２１に備えられるすべてのキー２１０が支持台２２の外部に露出するようにする。
【００２６】
これにより、支持台２２は外力の影響（たとえば、使用者による移動またはモバイル機器の自重による）があっても、無線入力装置２は展開作用力Ｆ１により、使用者が指令を入力するときに支持台２２の安定性を維持することができる。さらに、無線入力装置２が折り畳み状態にあるとき、無線入力装置２は展開作用力Ｆ１により、スライド部２１１がスライドレール２３１に沿って摺動せず、使用者の携行に便利である。
【００２７】
図２、図３および図６に示すように、本実施例において、折り畳み平板２３は、さらに周縁部に突き出し部２３２が設けられる。支持台２２は、底面に凹み溝２２１が凹状に形成される。凹み溝２２１は、折り畳み平板２３と対応し、折り畳み平板２３の収容に備える。凹み溝２２１は、突き出し部２３２に対応する位置に固定口２２１ａが設けられる。固定口２２１ａは、突き出し部２３２と対応し、突き出し部２３２の嵌合に備える。さらに、凹み溝２２１の内壁面において、固定口２２１ａと隣接する嵌着部２２１ｂが設けられる。突き出し部２３２を固定口２２１ａに嵌合させ、折り畳み平板２３を凹み溝２２１に取り付けることができる。突き出し部２３２は、固定口２２１ａに嵌合すると共に、嵌着部２２１ｂと互いに嵌合する。これにより、折り畳み平板２３を支持台２２の底面に嵌合させることができる。
【００２８】
さらに、無線キーボード２１を使用しないとき、折り畳み平板２３を移動させ、突き出し部２３２を固定口２２１ａから移動させ、嵌着部２２１ｂとの嵌着を切り離す。これにより、折り畳み平板２３を凹み溝２２１から快速に取り出すことができる。モバイル機器３を携行するときの体積を大幅に軽減する。使用者が指令をモバイル機器３に入力したいとき、折り畳み平板２３を凹み溝２２１に嵌合させることにより、無線入力装置２とモバイル機器３とを素早く一体に結合し、いつでも取り出して使用することができる。
【００２９】
スライドレール２３１はさらに、一端にスライド部２１１の形状に対応する引き止め部２３１ａを有する。折り畳み平板２３を凹み溝２２１に嵌合させ、支持台２２を移動させ、無線キーボード２１に備えられるすべてのキー２１０が支持台２２の外部に露出したとき、引き止め部２３１ａは、スライド部２１１の一端に当接する。これによって、支持台２２は、確実に無線キーボード２１に備えられるすべてのキー２１０を支持台２２の外部に露出させることができる。
【００３０】
これに対して、支持台２２および折り畳み平板２３は、スライド部２１１がスライドレール２３１に沿って摺動することにより、無線キーボード２１を完全に覆うとき、スライド部２１１の他端は、凹み溝２２１の内壁面に当接する。これにより、無線入力装置２を開放状態に維持することができる。このほか、無線入力装置２が折り畳み状態と開放状態とを切り換えるときの順調性と正確性を向上させることできる。
【００３１】
以上、本発明はこのような実施例に限定されるものではなく、発明の趣旨を逸脱しない範囲において、種々の形態で実施することができる。
【符号の説明】
【００３２】
２      ・・・無線入力装置
２１    ・・・無線キーボード
２１０  ・・・キー
２１１  ・・・スライド部
２２    ・・・支持台
２００  ・・・収容溝
２２１  ・・・凹み溝
２２１ａ・・・固定口
２２１ｂ・・・嵌着部
２３    ・・・折り畳み平板
２３１  ・・・スライドレール
２３１ａ・・・引き止め部
２３２  ・・・突出し部
２４    ・・・弾性部材
３      ・・・モバイル機器
Ａ      ・・・弾性部材の一端
Ｂ      ・・・弾性部材の他端
Ｆ１    ・・・展開作用力
Ｆ２    ・・・臨界作用力
Ｆ３    ・・・折り畳み作用力
Ｌ      ・・・水平線
【図１】
0005383754.tif 000002
【図２】
0005383754.tif 000003
【図３】
0005383754.tif 000004
【図４】
0005383754.tif 000005
【図５】
0005383754.tif 000006
【図６】
0005383754.tif 000007